(57)【特許請求の範囲】
【請求項１】
鉋刃（１４）に調節可能に配置されている調整部材（２８）の基準面（２９′）に対する鉋刃（１４）の切れ刃（１６）の距離を調節するためのストッパ（４８，５２）を有する調整板であって、鉋刃（１４）の一方の側の前記切れ刃（１６）及び鉋刃（１４）の他方の側にある前記調整部材（２８）が調整板（４６）のストッパ（４８，５２）に当接可能であり、該ストッパの１つが溝（４８）によって形成されており、該溝内に調整部材（２８）が係合せしめられる形式のものにおいて、前記溝（４８）の側壁（５４，６０）の一方がばね弾性的に形成されていて、調整部材（２８）の、内側に基準面（２９′）が形成された脚（２９）を不動に保持する締め付け手段として役立っており、調整部材（２８）の前記脚を不動に保持するために、前記溝（４８）の後方の側壁（５４）が調整板（４６）に一体化された板ばねとして形成されており、該板ばねは調整部材（２８）の前記脚を前記溝（４８）の前側の側壁（６０）に押圧するようになっており、調整板（４６）にねじ回し（５０）のための収納室（６２）が設けられていることを特徴とする、鉋刃のための調整板。
【発明の詳細な説明】
【０００１】
【発明の属する技術分野】
本発明は請求項１の上位概念部に記載の調整板に関する。
【０００２】
【従来の技術】
鉋刃のための調整板であって、後側の基準面に対して鉋刃の切れ刃を調整する調整ゲージとして役立つものは既に公知である。鉋刃の切れ刃の調整は、切れ刃が１０分の２，３ミリの材料除去によりシャープに研ぎ直された後は切れ刃が変位するため、必要になる。切れ刃のこの変位は、鉋加工の品質を低下させる。それというのは、刃先円、ひいては工作物に対する工具の切り込み方が変化するからである。これを簡単に補償することができるようにするために、鉋刃はその背面に山形型材状の、調整部材として役立つ条片を有している。この調整部材は調整ねじによって鉋刃の平らな面上に固定される。これらの調整ねじは調整部材の長穴を通って鉋刃のねじ穴にねじ込まれる。この場合山形型材状の条片の一方の脚は鉋刃の平らな面に平行に配置されかつ他方の脚は平らな面に対して直角に若しくは鉋刃背面に平行に延びかつ鉋刃の下側の平らな面を越えて突出している。
【０００３】
折り曲げられた脚は調整部材を固定溝に係合させるために設けられている。
【０００４】
調整部材は鉋刃に対して調整ねじにより、長穴で移動可能に、固定される。このような形式で切れ刃の位置が、山形に折り曲げられた条片としての調整部材に対して、変化せしめられ若しくは調整される。
【０００５】
公知の鉋刃の切れ刃の調整板では、直方体の調整板の端面に調整部材の折り曲げられた脚が後ろ側から係合せしめられ、これに対して鉋刃の下側の面は調整板上面に当接しかつこの場合段状に調整板上面上に固定された条片が切れ刃のストッパとして役立つ。調整部材の折り曲げられた脚が後ろ側から係合している調整板端面に対する前記の段状の条片の距離は正確に調整される。
【０００６】
切れ刃が研がれた後は、特に釘又はその他の金属片に当たることによって損傷した切れ刃が研がれた後は、調整部材の折り曲げられた脚に対する切れ刃の距離は明らかに研磨のさいの材料切削分だけ減少している。調整板上に鉋刃が載置されかつ調整板の端面に調整部材の脚が当接されることによってまずはじめに調整部材の位置が確定される。
【０００７】
調整ねじが弛められた後、鉋刃は調整部材に対してストッパ条片の方向へ移動させることができる。次いで調整ねじが再び固く締められると、調整部材の折り曲げられた脚に対する切れ刃のもとの調整位置、ひいてはまた、相応する鉋軸上における鉋刃切れ刃の位置が再びえられる。
【０００８】
公知の調整板は、調整過程中、調整部材と共に鉋刃の、調整板に対する位置が固定されていないという欠点を有している。操作者は常時調整部材を調整板の端面に当接するように保持しなければならない。このことは鉋刃の切れ刃の調整を著しく困難にする。
【０００９】
【発明が解決しようとする課題】
本発明の課題は公知の調整板の上記の欠点を排除することにある。
【００１０】
【課題を解決するための手段】
この課題は本発明によれば請求項１記載の特徴を有する手段によって解決されている。
【００１１】
【発明の効果】
請求項１記載の特徴を有する本発明の調整板によれば、鉋刃の切れ刃が迅速にかつ簡単に調整可能であり、操作者はストッパに対する鉋刃切れ刃の正確な調整のために両手を自由に使うことができる。
【００１４】
【発明の実施の形態】
以下に図面について説明する本発明の理解のために、図１には、軸１１を有する鉋軸１０の断面図が示されている。鉋軸は鏡面対称に互いに反対側に配置された２つの平らな面１２を有しており、図面ではこれらの平らな面のうち片側の平らな面だけが詳細に図示されている。平らな面１２は切れ刃１６及び背面１８を有する鉋刃１４を支持しており、鉋刃背面１８は鉋刃の切れ刃とは反対側の狭幅側にある。鉋刃１４は下側の面２０で平らな面１２上に面一に乗っている。締め顎２４は鉋刃１４の上側の面２２に支持されていて、締めねじ２６によって鉋軸１０に固定されかつ鉋刃１４を不動に締め付けている。
【００１５】
鉋刃１４はその上側の面２２上の鉋刃背面１８の範囲に、プラスチックから成る、L字形成形条片として製作された調整部材２８を支持しており、該調整部材はその、鉋刃１４の下側の面２０に対して直角に若しくは鉋刃背面１８に平行に曲げられている脚２９で、平らな面１２内の溝３０内に係合している。軸１１に対して平行に配置されているこの溝３０によって、調整部材２８に対する切れ刃１６の位置が反復可能に確定される。切れ刃１６の位置は刃先円３２の目標値によって規定される。
【００１６】
調整ねじ３４，３６（図１ではその第１の調整ねじだけが見えている）は鉋刃１４のねじ穴３８，４０にねじはめられかつ鉋刃に該調整部材２８を固定する。
【００１７】
図２には、鉋刃１４、切れ刃１６、背面１８、ねじ穴３８，４０及び、脚２９を有する調整部材２８が斜視図で示されている。調整ねじ３４，３６は調整部材２８の長穴４２，４４を通りねじ穴３８，４０にねじはめられる。これにより、調整ねじは調整部材２８を鉋刃１４に調整可能に固定する。
【００１８】
図３には調整板４６が斜視図で示されており、この調整板上に鉋刃１４が調整部材２８により調整可能に固定される。調整部材２８はその折り曲げられた脚２９で調整板４６の溝４８内へ係合しかつ該溝内に、成形されたばね舌状片若しくは板ばね５６，５８により、不動に固定される。
【００１９】
溝４８は図１の鉋軸１０の平らな面１２にある溝３０と同じ働きをする。
【００２０】
ねじ回し５０により調整ねじ３４，３６が弛められ、次いで鉋刃１４が矢印の方向に、切れ刃１６が調整板４６の端面側の段５２に当たって止まるまで、押しずらされる。続いて調整ねじ３４，３６が再び固く締め込まれる。
【００２１】
調整板４６の側面にはねじ回し５０を収納しておくための穴６２が配置されている。
【００２２】
図４には調整板４６の横断面が示されており、この場合鉋刃１４の切れ刃１６のためのストッパとしての段５２がよく見えている。さらに、折り曲げられた脚２９を有する調整部材２８、溝４８及び、調整板４６の穴６２もよく見えている。調整部材２８の折り曲げられた脚２９は、内側（鉋刃１４の切れ刃１６に向いた側）を基準面２９′として形成されている。脚２９の基準面２９′は、該脚を調整板４６の溝４８内に係合させることによって、該溝４８の前側の側壁６０に当接させられるようになっている。
【００２３】
後側の溝側面５4は板ばね５６，５８によって補充されており、図４では一方の板ばね５６だけが見えており、該板ばねは溝４８内に挿入される、調整部材２８の脚２９を前側の溝側壁６０に押圧し所定の位置に固定する。これによって、調整部材２８に対する鉋刃１４の調整及び調整ねじ３４，３６の締め込みが著しく容易になる。
【００２４】
図５には調整板４６が斜視図で示されており、この場合板ばね５６，５８及びねじ回し５０を入れておくための穴６２が別の側からよく見えている。
【００２５】
図６には調整板４６の平面図が示されており、この場合段５２のストッパとして作用する面、溝４８、ばね５６、５８及び保管のため挿入されている山形ねじ回し５０が認められる。
【００２６】
図示されていない本発明の一実施形態によれば、調整ねじ及び締めねじのねじヘッドは単一の多角形凹部を有するさし込み式のスパナで取り外し及び締め込み可能である。これにより調整板に配置された単に１つのスパナで鉋軸への鉋刃の緊定並びに調整板による鉋刃の調整を行うことができる。
【図面の簡単な説明】
【図１】調整部材を備えた鉋刃を有する公知の鉋軸を示す図
【図２】鉋刃、調整部材及び調整ねじの分解図
【図３】載置された鉋刃及びねじ回し工具と共に調整板の一実施形態を示す図
【図４】１つの調整ねじの範囲における調整板の側方断面図
【図５】調整板の斜視図
【図６】調整用工具を保持した調整板の平面図
【符号の説明】
１０      鉋軸
１１      軸
１２      平らな面
１４      鉋刃
１６      切れ刃
１８      鉋刃背面
２０      下側の面
２２      上側の面
２４      締め顎
２６      締めねじ
２８      調整部材
２９      脚
３０      溝
３２      刃先円
３４      調整ねじ
３６      調整ねじ
３８      ねじ穴
４０      ねじ穴
４２      長穴
４４      長穴
４６      調整板
４８      溝
５０      ねじ回し
５２      段
５４      溝側面
５６      板ばね
５８      板ばね
６０      溝側面
６２      穴
【図１】
0003914586.tif 000002
【図２】
0003914586.tif 000003
【図３】
0003914586.tif 000004
【図４】
0003914586.tif 000005
【図５】
0003914586.tif 000006
【図６】
0003914586.tif 000007